(57)【要約】【課題】取得する情報を選択するためのユーザ情報を別途登録する必要がなく、かつ、ユーザ情報を記憶するためのデータベースなどを別途設けることなく、ユーザ情報によりコンテンツを選択することが可能であるとともに、コンテンツに関する情報が見やすい情報表示装置および情報表示システムを提供する。【解決手段】このノートパソコン１００（情報表示装置）は、ユーザ情報を有するスクリーンセーバ画像６と、スクリーンセーバ画像６上に重ねて配置され、スクリーンセーバ画像６とは異なる画像を表示可能なブラウザ領域７とが表示される表示部１１と、スクリーンセーバ画像６とブラウザ領域７とを表示部１１に表示させる制御部１５とを備え、制御部１５は、ブラウザ領域７に、スクリーンセーバ画像６のユーザ情報に基づいて選択されたコンテンツに関する情報を少なくとも表示するように構成されている。【選択図】図６
2010186281.tif 000002
【特許請求の範囲】
【請求項１】
ユーザ情報を有するスクリーンセーバ画像と、前記スクリーンセーバ画像上に重ねて配置され、前記スクリーンセーバ画像とは異なる画像を表示可能なブラウザ領域とが表示される表示部と、
前記スクリーンセーバ画像と前記ブラウザ領域とを前記表示部に表示させる制御部とを備え、
前記制御部は、前記ブラウザ領域に、前記スクリーンセーバ画像のユーザ情報に基づいて選択されたコンテンツに関する情報を少なくとも表示するように構成されている、情報表示装置。
【請求項２】
前記スクリーンセーバ画像を提供したスクリーンセーバ提供元とネットワークを介して接続可能な接続部をさらに備え、
前記制御部は、前記ブラウザ領域に、前記スクリーンセーバ画像のユーザ情報に基づいて前記スクリーンセーバ提供元によって選択された前記コンテンツに関する情報を前記ネットワークを介して前記スクリーンセーバ提供元から受信して表示するように構成されている、請求項１に記載の情報表示装置。
【請求項３】
前記制御部は、前記スクリーンセーバ提供元とのアクセスが許可されている場合に、前記スクリーンセーバ画像のユーザ情報を前記ネットワークを介して前記スクリーンセーバ提供元に送信するとともに、前記スクリーンセーバ提供元によって選択された前記コンテンツに関する情報を前記スクリーンセーバ提供元から受信して、前記ブラウザ領域に表示するように構成されている、請求項２に記載の情報表示装置。
【請求項４】
前記制御部は、アクセス許可のためのアクセス可否判断情報を前記スクリーンセーバ提供元に送信し、かつ、アクセス可否の情報を前記スクリーンセーバ提供元から受信するように構成されている、請求項３に記載の情報表示装置。
【請求項５】
前記アクセス可否判断情報は、情報表示装置本体のアドレス情報を含み、
前記制御部は、前記アドレス情報を前記スクリーンセーバ提供元に送信し、かつ、前記アドレス情報に基づく前記アクセス可否の情報を前記スクリーンセーバ提供元から受信するように構成されている、請求項４に記載の情報表示装置。
【請求項６】
前記制御部は、前記アドレス情報に基づくアクセス許可が得られない場合、前記アドレス情報以外のアクセス可否判断情報を前記スクリーンセーバ提供元に送信し、かつ、前記アクセス可否の情報を前記スクリーンセーバ提供元から受信するように構成されている、請求項５に記載の情報表示装置。
【請求項７】
前記制御部は、前記アドレス情報に基づくアクセス許可が得られない場合、前記ブラウザ領域に前記アドレス情報以外のアクセス可否判断情報を入力するための入力画面を表示するとともに、入力された前記アクセス可否判断情報を前記スクリーンセーバ提供元に送信し、かつ、前記アクセス可否の情報を前記スクリーンセーバ提供元から受信するように構成されている、請求項６に記載の情報表示装置。
【請求項８】
前記制御部は、前記スクリーンセーバ提供元に送信する前記アクセス可否判断情報を有しない場合、前記アクセス許可を得る方法を前記ブラウザ領域に表示することにより、ユーザに通知するように構成されている、請求項６または７に記載の情報表示装置。
【請求項９】
前記制御部は、前記スクリーンセーバ画像のユーザ情報に基づいて選択された前記コンテンツに対応するアプリケーションを前記スクリーンセーバ提供元から受信して起動させることによって、音楽再生または画像表示を行うことが可能なように構成されている、請求項２〜８のいずれか１項に記載の情報表示装置。
【請求項１０】
前記スクリーンセーバ画像のユーザ情報に基づいて選択された前記コンテンツは、音楽コンテンツであり、前記音楽コンテンツに対応するアプリケーションは、任意の音楽を再生するためのアプリケーションであり、
前記制御部は、前記スクリーンセーバ画像のユーザ情報に基づいて、前記ブラウザ領域に前記音楽コンテンツに対応する画像を表示するとともに、前記アプリケーションによって前記音楽コンテンツに対応する音楽を再生するように構成されている、請求項９に記載の情報表示装置。
【請求項１１】
前記スクリーンセーバ画像のユーザ情報に基づいて選択された前記コンテンツは、ウェブページであり、前記コンテンツに対応するアプリケーションは、任意のウェブページを閲覧するためのアプリケーションであり、
前記制御部は、前記ブラウザ領域に、前記スクリーンセーバ画像のユーザ情報に基づいて前記アプリケーションによって前記ウェブページに関する画像を表示するように構成されている、請求項９に記載の情報表示装置。
【請求項１２】
前記接続部は、インタネットを介して前記スクリーンセーバ提供元に接続されている、請求項２〜１１のいずれか１項に記載の情報表示装置。
【請求項１３】
前記スクリーンセーバ画像のユーザ情報は、前記スクリーンセーバ画像に電子透かしとして埋め込まれており、
前記制御部は、前記ブラウザ領域に、前記スクリーンセーバ画像に電子透かしとして埋め込まれた前記ユーザ情報に基づいて選択された前記コンテンツに関する情報を表示するように構成されている、請求項１〜１２のいずれか１項に記載の情報表示装置。
【請求項１４】
前記制御部は、前記表示部に前記スクリーンセーバ画像を表示しながら、前記ブラウザ領域に、選択された前記コンテンツに関する情報を表示するように構成されている、請求項１〜１３のいずれか１項に記載の情報表示装置。
【請求項１５】
ユーザ情報を有するスクリーンセーバ画像を提供するスクリーンセーバ提供元と、
前記スクリーンセーバ提供元とネットワークを介して接続され、前記スクリーンセーバ提供元から前記ネットワークを介して取得した前記ユーザ情報を有するスクリーンセーバ画像、および、前記スクリーンセーバ画像上に重ねて配置され、前記スクリーンセーバ画像とは異なる画像を表示可能なブラウザ領域が表示される表示部と、前記スクリーンセーバ画像と前記ブラウザ領域とを前記表示部に表示させる制御部とを含む情報表示装置とを備え、
前記情報表示装置の制御部は、前記ブラウザ領域に、前記スクリーンセーバ画像のユーザ情報に基づいて前記スクリーンセーバ提供元によって選択された前記コンテンツに関する情報を前記ネットワークを介して前記スクリーンセーバ提供元から受信して表示するように構成されている、情報表示システム。
【請求項１６】
前記制御部は、前記スクリーンセーバ画像のユーザ情報に基づいて選択された前記コンテンツに対応するアプリケーションを前記スクリーンセーバ提供元から受信して起動させることによって、音楽再生または画像表示を行うことが可能なように構成されている、請求項１５に記載の情報表示システム。
【発明の詳細な説明】
【技術分野】
【０００１】
この発明は、情報表示装置および情報表示システムに関し、特に、スクリーンセーバ画像が表示部に表示される情報表示装置および情報表示システムに関する。
【背景技術】
【０００２】
従来、スクリーンセーバ画像が表示部に表示される情報表示装置および情報表示システムが知られている（たとえば、特許文献１〜４参照）。
【０００３】
上記特許文献１には、ウェブページが表示されたブラウザを表示可能な表示部と、視聴者の情報が格納されているクッキーファイルを含むウェブブラウザとを備える視聴者パーソナルコンピュータと、配信プログラムおよび配信情報ファイルを備える情報配信サーバとがネットワークを介して接続されている情報配信システムが開示されている。また、視聴者の情報は、配信を望む情報と配信を望まない情報とからなり、視聴者（ユーザ）の意思によって配信を望むか望まないかが予め選択されることによって、視聴者の情報として登録されている。また、この情報配信システムでは、ウェブページに対して予め設定された所定の時間、視聴者の入力操作がない場合に、ウェブブラウザは、クッキーファイルの視聴者の情報をクッキーによって情報配信サーバに送信する。そして、情報配信サーバにおいて、視聴者の意思によって予め配信を望む情報と配信を望まない情報とが選択された視聴者の情報（ユーザにより選択された情報）に基づいて、配信プログラムによってフィルタリングされた配信情報ファイル内の広告などの配信情報をウェブブラウザに提供する。また、ウェブブラウザに配信される配信情報を一定時間ごとに切り替えるように表示部に表示させることによって、ウェブブラウザに配信情報をスクリーンセーバのように表示させてスクリーンセーバ機能を持たせるように構成されている。
【０００４】
また、上記特許文献２には、複数のスクリーン領域（ブラウザ領域）を表示可能な表示領域を備え、電磁通信回線ネットワークを介してサービスノードと接続されたパーソナルコンピュータが開示されている。また、サービスノードは、パーソナルコンピュータのユーザの希望する情報カテゴリなどに関するユーザプロフィール（ユーザ情報）を記憶するためのデータベースを有している。ここで、表示領域においてスクリーンセーバ機能が動作された際に、パーソナルコンピュータはサービスノードにアクセスする。そして、サービスノードは、データベースに記憶されたユーザプロフィールに基づく情報を検索して、検索された情報をパーソナルコンピュータに送信する。この後、パーソナルコンピュータにおいて、検索された情報が、それぞれ、複数のスクリーン領域に表示されるように構成されている。
【０００５】
また、上記特許文献３には、スクリーンセーバを表示可能な情報端末機器画面を備えるパソコンなどの情報端末機器と、インタネット通信回線網を介して接続され、ユーザ側選択内容（ユーザ情報）を記憶することが可能なデータベースを備えるサーバとを用いるスクリーンセーバを利用した広告および情報配信システムが開示されている。このスクリーンセーバを利用した広告および情報配信システムは、サーバに蓄積され、ユーザの希望に沿ったスクリーンセーバ形式の広告などを、インタネット通信回線網を介して情報端末機器画面にスクリーンセーバとして表示させるように構成されている。また、情報端末機器がサーバにアクセスする際には、データベースに記憶されているユーザ側選択内容に応じたスクリーンセーバ形式の広告などを配信することが可能なように構成されている。
【０００６】
また、上記特許文献４には、スクリーンセーバ画像を表示させるスクリーンセーバ機能と、表示手段の表示画面に情報を表示させる情報表示制御手段と、秘密情報判別手段と、情報蓄積手段とを備え、通信ネットワークに接続された情報表示装置が開示されている。この情報表示装置では、スクリーンセーバ機能が動作中に通信ネットワークを介して受信された情報（コンテンツ）が、秘密情報判別手段において秘密情報であるか否かが情報蓄積手段に蓄積された情報を用いて判別される。そして、情報が秘密情報でない場合には、所定の操作を必要とせずにスクリーンセーバ画像の表示が解除されて情報表示制御手段によって情報が表示手段の表示画面に表示されるように構成されている。一方、情報が秘密情報である場合には、スクリーンセーバ画像が表示された状態で、秘密情報が蓄積されている旨に関するボタン、文章またはアイコンのいずれかを表示する。そして、ボタン、文章またはアイコンが選択されると、スクリーンセーバ画像とボタン、文章またはアイコンとの表示が解除されるとともに、パスワードを入力するための入力エリアが表示される。そして、入力エリアに入力されたパスワードが正しい場合には、情報表示制御手段によって情報が表示されるように構成されている。
【先行技術文献】
【特許文献】
【０００７】
【特許文献１】特許第３６９３９３８号公報
【特許文献２】特開平８−３０５６４８号公報
【特許文献３】特開２００２−１６３５５６号公報
【特許文献４】特許第３２４０９７１号公報
【発明の概要】
【発明が解決しようとする課題】
【０００８】
しかしながら、上記特許文献１に記載の情報配信システムでは、視聴者は、配信情報を選択するために配信を望む情報と配信を望まない情報とを予め選択してクッキーファイルに登録する必要があるという問題点がある。また、配信情報がスクリーンセーバのように一定時間ごとに切り替わるように表示されるので、視聴者が配信情報を見づらいという問題点もある。
【０００９】
また、上記特許文献２に記載のパーソナルコンピュータでは、サービスノードにユーザプロフィールを記憶するためのデータベースを別途設ける必要があるという問題点がある。
【００１０】
また、上記特許文献３に記載のスクリーンセーバを利用した広告および情報配信システムでは、サーバにユーザ側選択内容を記憶するためのデータベースを別途設ける必要があるという問題点がある。
【００１１】
また、上記特許文献４に記載の情報表示装置では、通信ネットワークを介して受信される情報が秘密情報であるか否かは判断されるものの、受信される情報の選択は行われていない。このため、ユーザの情報に対応するように、通信ネットワークを介して受信される情報を選択することができないという問題点がある。
【００１２】
この発明は、上記のような課題を解決するためになされたものであり、この発明の１つの目的は、取得する情報を選択するためのユーザ情報を別途登録する必要がなく、かつ、ユーザ情報を記憶するためのデータベースなどを別途設けることなく、ユーザ情報によりコンテンツを選択することが可能であるとともに、コンテンツに関する情報が見やすい情報表示装置および情報表示システムを提供することである。
【課題を解決するための手段および発明の効果】
【００１３】
この発明の第１の局面による情報表示装置は、ユーザ情報を有するスクリーンセーバ画像と、スクリーンセーバ画像上に重ねて配置され、スクリーンセーバ画像とは異なる画像を表示可能なブラウザ領域とが表示される表示部と、スクリーンセーバ画像とブラウザ領域とを表示部に表示させる制御部とを備え、制御部は、ブラウザ領域に、スクリーンセーバ画像のユーザ情報に基づいて選択されたコンテンツに関する情報を少なくとも表示するように構成されている。なお、本発明における「ブラウザ」は、ウェブブラウザに限られず、画像ブラウザやファイルブラウザなども含む広義の意味を有する。
【００１４】
この第１の局面による情報表示装置では、上記のように、スクリーンセーバ画像がユーザ情報を有するように構成することによって、情報表示装置に一般的に設けられているスクリーンセーバ画像にユーザ情報を有するように構成することになるので、ユーザ情報を記憶させるためのデータベースなどを別途設ける必要がない。また、スクリーンセーバ画像が元々有しているユーザ情報に基づいてコンテンツを選択して表示するように構成することによって、ユーザ情報を別途登録することなく、スクリーンセーバ画像のユーザ情報に基づいたコンテンツが自動的に選択されて表示することが可能になる。また、スクリーンセーバ画像とは異なるブラウザ領域をスクリーンセーバ画像上に重ねて配置するとともに、そのブラウザ領域に、ユーザ情報に基づいて選択されたコンテンツに関する情報を表示することによって、スクリーンセーバ画像の一部として選択された情報を表示する場合と異なり、選択された情報が切り替わることなく表示されるので、ユーザに対して表示されたコンテンツに関する情報を見やすくすることができる。
【００１５】
上記第１の局面による情報表示装置において、好ましくは、スクリーンセーバ画像を提供したスクリーンセーバ提供元とネットワークを介して接続可能な接続部をさらに備え、制御部は、ブラウザ領域に、スクリーンセーバ画像のユーザ情報に基づいてスクリーンセーバ提供元によって選択されたコンテンツに関する情報をネットワークを介してスクリーンセーバ提供元から受信して表示するように構成されている。このように構成すれば、スクリーンセーバ提供元により、スクリーンセーバ画像のユーザ情報を用いてスクリーンセーバ画像に関連するとともにユーザに適したコンテンツが選択されることが可能になるので、制御部により、そのスクリーンセーバ画像に関連し、かつ、ユーザに適したコンテンツに関する情報をスクリーンセーバ提供元から受信して表示することができる。
【００１６】
この場合において、好ましくは、制御部は、スクリーンセーバ提供元とのアクセスが許可されている場合に、スクリーンセーバ画像のユーザ情報をネットワークを介してスクリーンセーバ提供元に送信するとともに、スクリーンセーバ提供元によって選択されたコンテンツに関する情報をスクリーンセーバ提供元から受信して、ブラウザ領域に表示するように構成されている。このように構成すれば、アクセス許可されているユーザのみに対して、スクリーンセーバ画像のユーザ情報に基づいて選択されたコンテンツに関する情報を提供することができる。
【００１７】
上記アクセスが許可されている場合に、コンテンツに関する情報を受信する情報表示装置において、好ましくは、制御部は、アクセス許可のためのアクセス可否判断情報をスクリーンセーバ提供元に送信し、かつ、アクセス可否の情報をスクリーンセーバ提供元から受信するように構成されている。このように構成すれば、スクリーンセーバ提供元に以前スクリーンセーバ画像を提供したユーザと今回アクセスを求めてきたユーザとが同一かどうかをアクセス可否判断情報を用いて判別させる場合に、制御部がアクセス可否判断情報をスクリーンセーバ提供元に送信することによって、スクリーンセーバ提供元においてアクセスを許可するか否かを容易に判断させることができる。
【００１８】
上記アクセス可否判断情報をスクリーンセーバ提供元に送信する情報表示装置において、好ましくは、アクセス可否判断情報は、情報表示装置本体のアドレス情報を含み、制御部は、アドレス情報をスクリーンセーバ提供元に送信し、かつ、アドレス情報に基づくアクセス可否の情報をスクリーンセーバ提供元から受信するように構成されている。このように構成すれば、制御部により送信された情報表示装置本体のアドレス情報により、スクリーンセーバ提供元にアクセスを許可するか否かを容易に判断させることができる。
【００１９】
上記アドレス情報をスクリーンセーバ提供元に送信する情報表示装置において、好ましくは、制御部は、アドレス情報に基づくアクセス許可が得られない場合、アドレス情報以外のアクセス可否判断情報をスクリーンセーバ提供元に送信し、かつ、アクセス可否の情報をスクリーンセーバ提供元から受信するように構成されている。このように構成すれば、スクリーンセーバ提供元によりアドレス情報によるアクセス許可が得られない場合においても、制御部により送信されたアドレス情報以外のアクセス可否判断情報により、スクリーンセーバ提供元にアクセスを許可するか否かを容易に判断させることができる。
【００２０】
上記アドレス情報以外のアクセス可否判断情報をスクリーンセーバ提供元に送信する情報表示装置において、好ましくは、制御部は、アドレス情報に基づくアクセス許可が得られない場合、ブラウザ領域にアドレス情報以外のアクセス可否判断情報を入力するための入力画面を表示するとともに、入力されたアクセス可否判断情報をスクリーンセーバ提供元に送信し、かつ、アクセス可否の情報をスクリーンセーバ提供元から受信するように構成されている。このように構成すれば、スクリーンセーバ提供元によりアドレス情報によるアクセス許可が得られない場合においても、入力画面においてアドレス情報以外のアクセス可否判断情報をユーザに入力させることによって、スクリーンセーバ提供元にアクセスを許可するか否かを容易に判断させることができる。
【００２１】
上記アドレス情報以外のアクセス可否判断情報をスクリーンセーバ提供元に送信する情報表示装置において、好ましくは、制御部は、スクリーンセーバ提供元に送信するアクセス可否判断情報を有しない場合、アクセス許可を得る方法をブラウザ領域に表示することにより、ユーザに通知するように構成されている。このように構成すれば、ユーザは容易にアクセス許可を得る方法を認識することができるので、ユーザは、容易に、アクセス許可するための方法を実行してアクセス許可を得ることができる。
【００２２】
上記スクリーンセーバ提供元によって選択されたコンテンツに関する情報をスクリーンセーバ提供元から受信して表示する情報表示装置において、好ましくは、制御部は、スクリーンセーバ画像のユーザ情報に基づいて選択されたコンテンツに対応するアプリケーションをスクリーンセーバ提供元から受信して起動させることによって、音楽再生または画像表示を行うことが可能なように構成されている。このように構成すれば、スクリーンセーバ画像のユーザ情報に基づいて選択され、スクリーンセーバ画像と関連し、かつ、ユーザに適した音楽再生または画像表示をユーザに提供することができる。
【００２３】
この場合、好ましくは、スクリーンセーバ画像のユーザ情報に基づいて選択されたコンテンツは、音楽コンテンツであり、音楽コンテンツに対応するアプリケーションは、任意の音楽を再生するためのアプリケーションであり、制御部は、スクリーンセーバ画像のユーザ情報に基づいて、ブラウザ領域に音楽コンテンツに対応する画像を表示するとともに、アプリケーションによって音楽コンテンツに対応する音楽を再生するように構成されている。このように構成すれば、スクリーンセーバ画像のユーザ情報に基づいて選択され、スクリーンセーバ画像と関連し、かつ、ユーザに適した音楽コンテンツに対応する音楽の再生および表示を行うことができる。
【００２４】
上記音楽再生または画像表示を行うことが可能なように構成されている情報表示装置において、好ましくは、スクリーンセーバ画像のユーザ情報に基づいて選択されたコンテンツは、ウェブページであり、コンテンツに対応するアプリケーションは、任意のウェブページを閲覧するためのアプリケーションであり、制御部は、ブラウザ領域に、スクリーンセーバ画像のユーザ情報に基づいてアプリケーションによってウェブページに関する画像を表示するように構成されている。このように構成すれば、スクリーンセーバ画像のユーザ情報に基づいて選択され、スクリーンセーバ画像と関連し、かつ、ユーザに適したウェブページに関する画像の表示をブラウザ領域において行うことができる。
【００２５】
上記スクリーンセーバ提供元によって選択されたコンテンツに関する情報をスクリーンセーバ提供元から受信して表示する情報表示装置において、好ましくは、接続部は、インタネットを介してスクリーンセーバ提供元に接続されている。このように構成すれば、インタネットを介して、スクリーンセーバ提供元によって選択されたコンテンツに関する情報をスクリーンセーバ提供元から受信することができる。
【００２６】
上記第１の局面による情報表示装置において、好ましくは、スクリーンセーバ画像のユーザ情報は、スクリーンセーバ画像に電子透かしとして埋め込まれており、制御部は、ブラウザ領域に、スクリーンセーバ画像に電子透かしとして埋め込まれたユーザ情報に基づいて選択されたコンテンツに関する情報を表示するように構成されている。このように構成すれば、電子透かしを用いてスクリーンセーバ画像にユーザ情報を埋め込むことができるので、スクリーンセーバ画像の画質を略保った状態で、スクリーンセーバ画像がユーザ情報を有するように構成することができる。
【００２７】
上記第１の局面による情報表示装置において、好ましくは、制御部は、表示部にスクリーンセーバ画像を表示しながら、ブラウザ領域に、選択されたコンテンツに関する情報を表示するように構成されている。このように構成すれば、スクリーンセーバ画像を表示したまま、ブラウザ領域において選択されたコンテンツに関する情報を閲覧することができるので、表示部の焼付きを抑制しながら、コンテンツに関する情報を閲覧することができる。
【００２８】
この発明の第２の局面による情報表示システムは、ユーザ情報を有するスクリーンセーバ画像を提供するスクリーンセーバ提供元と、スクリーンセーバ提供元とネットワークを介して接続され、スクリーンセーバ提供元からネットワークを介して取得したユーザ情報を有するスクリーンセーバ画像、および、スクリーンセーバ画像上に重ねて配置され、スクリーンセーバ画像とは異なる画像を表示可能なブラウザ領域が表示される表示部と、スクリーンセーバ画像とブラウザ領域とを表示部に表示させる制御部とを含む情報表示装置とを備え、情報表示装置の制御部は、ブラウザ領域に、スクリーンセーバ画像のユーザ情報に基づいてスクリーンセーバ提供元によって選択されたコンテンツに関する情報をネットワークを介してスクリーンセーバ提供元から受信して表示するように構成されている。
【００２９】
この第２の局面による情報表示システムでは、上記のように、スクリーンセーバ画像がユーザ情報を有するように構成することによって、情報表示装置に一般的に設けられているスクリーンセーバ画像にユーザ情報を有するように構成することになるので、ユーザ情報を記憶させるためのデータベースなどを別途設ける必要がない。また、スクリーンセーバ画像が元々有しているユーザ情報に基づいてコンテンツを選択して表示するように構成することによって、ユーザ情報を別途登録することなく、スクリーンセーバ画像のユーザ情報に基づいたコンテンツが自動的に選択されて表示することが可能になる。また、スクリーンセーバ画像とは異なるブラウザ領域をスクリーンセーバ画像上に重ねて配置するとともに、そのブラウザ領域に、ユーザ情報に基づいて選択されたコンテンツに関する情報を表示することによって、スクリーンセーバ画像の一部として選択された情報を表示する場合と異なり、選択された情報が切り替わることなく表示されるので、ユーザに対して表示されたコンテンツに関する情報を見やすくすることができる。また、スクリーンセーバ提供元により、スクリーンセーバ画像のユーザ情報を用いてスクリーンセーバ画像に関連するとともにユーザに適したコンテンツが選択されることが可能になるので、情報表示装置の制御部により、そのスクリーンセーバ画像に関連し、かつ、ユーザに適したコンテンツに関する情報をスクリーンセーバ提供元から受信して表示することができる。
【００３０】
上記第２の局面による情報表示システムにおいて、好ましくは、制御部は、スクリーンセーバ画像のユーザ情報に基づいて選択されたコンテンツに対応するアプリケーションをスクリーンセーバ提供元から受信して起動させることによって、音楽再生または画像表示を行うことが可能なように構成されている。このように構成すれば、スクリーンセーバ画像のユーザ情報に基づいて選択され、スクリーンセーバ画像と関連し、かつ、ユーザに適した音楽再生または画像表示をユーザに提供することができる。
【図面の簡単な説明】
【００３１】
【図１】本発明の一実施形態によるノートパソコンの全体を示した斜視図である。
【図２】本発明の一実施形態によるノートパソコンの内部構成などを示したブロック図である。
【図３】本発明の一実施形態によるノートパソコンの表示動作を示した斜視図である。
【図４】本発明の一実施形態によるノートパソコンの表示動作を示した斜視図である。
【図５】本発明の一実施形態によるノートパソコンの表示動作を示した斜視図である。
【図６】本発明の一実施形態によるノートパソコンの表示動作を示した斜視図である。
【図７】本発明の一実施形態によるノートパソコンの表示動作を示した斜視図である。
【図８】本発明の一実施形態によるノートパソコンの表示動作を示した斜視図である。
【図９】本発明の一実施形態によるノートパソコンのスクリーンセーバ画像ダウンロード時の制御フローを説明するための図である。
【図１０】本発明の一実施形態によるノートパソコンへのスクリーンセーバ画像提供時のスクリーンセーバ提供元の制御フローを説明するための図である。
【図１１】本発明の一実施形態によるノートパソコンのスクリーンセーバ画像表示時の制御フローを説明するための図である。
【図１２】本発明の一実施形態によるノートパソコンのアクセス可否判断時の制御フローを説明するための図である。
【図１３】本発明の一実施形態によるノートパソコンからのＩＰアドレス受信時のスクリーンセーバ提供元の制御フローを説明するための図である。
【図１４】本発明の一実施形態によるノートパソコンからの識別情報受信時のスクリーンセーバ提供元の制御フローを説明するための図である。
【図１５】本発明の一実施形態によるノートパソコンのスクリーンセーバ画像表示時の制御フローを説明するための図である。
【図１６】本発明の一実施形態によるノートパソコンに対するコンテンツ情報選択時のスクリーンセーバ提供元の制御フローを説明するための図である。
【図１７】本発明の一実施形態の変形例によるノートパソコンの表示動作を示した斜視図である。
【発明を実施するための形態】
【００３２】
以下、本発明を具体化した実施形態を図面に基づいて説明する。
【００３３】
まず、図１〜図３を参照して、本発明の一実施形態によるノートパソコン１００の構成について説明する。なお、ノートパソコン１００は、本発明の「情報表示装置」の一例である。
【００３４】
本発明の一実施形態によるノートパソコン１００は、図１に示すように、本体部１と、本体部１の下部の側面に形成されたＵＳＢ（Ｕｎｉｖｅｒｓａｌ  Ｓｅｒｉａｌ  Ｂｕｓ）ポート１０ａにおいて本体部１と接続されたマウス２とを含む。また、マウス２は、左ボタン２ａおよび右ボタン２ｂと、本体部１と接続される接続部２ｃとを有する。
【００３５】
また、本体部１の上部には、略全面にわたって表示部１１が設けられている。また、表示部１１は、デスクトップ画像３を表示可能に構成されている。また、デスクトップ画像３として、表示部１１の下部を除く略全面にわたって背景画像３ａが表示されている。また、表示部１１は、背景画像３ａが表示されている場合に、複数のアイコン３ｂを表示するように構成されている。複数のアイコン３ｂは、それぞれ、対応するアプリケーションまたはファイルを読み出す際に用いられる。また、表示部１１の下部には、バー３ｃが表示されており、バー３ｃは、メニューバーおよびタスクバーなどを表示可能である。
【００３６】
また、本体部１の下部には、キーボード１２およびタッチパッド１３が形成されている。また、キーボード１２と、タッチパッド１３と、マウス２の左ボタン２ａおよび右ボタン２ｂとは、それぞれ、ユーザに操作されることによって、指定された処理を行うように構成されている。なお、本実施形態においては、マウス２およびマウス２の左ボタン２ａを用いて操作するように構成した例を示す。具体的には、後述する制御部１５が、マウス２の左ボタン２ａを短い間に２度押下する操作（ダブルクリック）と、マウス２の左ボタン２ａを押下した状態でマウス２を平面上で移動させる操作（ドラッグ）と、マウス２の左ボタン２ａを押下する操作（クリック）とにそれぞれ対応した処理を行うように構成されている。また、ユーザがマウス２を平面上で移動させることによって、制御部１５が、表示部１１のカーソル８をマウス２の移動に連動させるように構成されている。
【００３７】
また、本体部１の下部の側面に形成されたカードスロット１４には、認証カード４を差し込み可能である。また、本体部１の下部の側面に形成されたＵＳＢポート１０ｂには、ＵＳＢメモリ５を差し込み可能である。これら認証カード４およびＵＳＢメモリ５には、それぞれ、スクリーンセーバ提供元２００から発行された、ユーザのアクセス可否判断を行うために必要なＩＤ（Ｉｄｅｎｔｉｔｙ  Ｄｏｃｕｍｅｎｔ）情報およびパスワード情報を含む識別情報が記憶されており、制御部１５によって読み込まれるように構成されている。
【００３８】
また、ノートパソコン１００は、図２に示すように、制御部１５と、メモリ１６と、記憶部１７と、ネットワーク接続部１８とをさらに備える。この制御部１５は、表示部１１にデスクトップ画像３（図１参照）、表示部１１の焼付け防止のためのスクリーンセーバ画像６（図３参照）、ブラウザ領域７（図３参照）およびカーソル８（図３参照）などを表示させるように構成されている。また、制御部１５は、表示部１１にスクリーンセーバ画像６が表示されている状態で、スクリーンセーバ画像６にブラウザ領域７を重ねて表示させるように構成されている。
【００３９】
また、本実施形態では、制御部１５は、ブラウザ領域７において、任意の音楽を再生可能な音楽再生用のアプリケーションおよび任意のウェブページを閲覧可能なアプリケーション（ウェブブラウザ）を起動させるように構成されている。
【００４０】
また、制御部１５は、スクリーンセーバ画像６に埋め込まれている電子透かしを読み出す機能を有している。ここで、電子透かしが埋め込まれているスクリーンセーバ画像６は、スクリーンセーバ画像６を提供するスクリーンセーバ提供元２００からインタネット３００を介してユーザによって取得され、記憶部１７に記憶されたものである。また、スクリーンセーバ画像６には、インタネット３００を介してユーザがダウンロードすることによって取得された際に、スクリーンセーバ提供元２００によって、スクリーンセーバ画像６を取得したユーザの会員情報、年齢情報および国籍情報からなるユーザ情報が予め電子透かしとして埋め込まれている。なお、電子透かしとは、人間の目では認識できない微少な変更を情報として画像や文字のようなデジタルコンテンツに埋め込む技術である。なお、インタネット３００は、本発明の「ネットワーク」の一例である。
【００４１】
また、メモリ１６は、ＲＡＭ（Ｒａｎｄｏｍ  Ａｃｃｅｓｓ  Ｍｅｍｏｒｙ）とＲＯＭ（Ｒｅａｄ  Ｏｎｌｙ  Ｍｅｍｏｒｙ）とを有し、ＲＯＭには、制御部１５によって動作されるプログラムが格納されている。
【００４２】
また、記憶部１７は、ＨＤＤ（Ｈａｒｄ  Ｄｉｓｃ  Ｄｒｉｖｅ）またはＳＳＤ（Ｓｏｌｉｄ  Ｓｔａｔｅ  Ｄｒｉｖｅ）からなる。また、記憶部１７には、スクリーンセーバ画像６の情報が格納されている。また、記憶部１７には、ユーザがスクリーンセーバ提供元２００からインタネット３００を介してスクリーンセーバ画像６をダウンロードする際に、スクリーンセーバ画像６と共にスクリーンセーバ提供元２００からダウンロードされた関連動画７ａの情報が格納されている。この関連動画７ａは、ユーザ情報およびスクリーンセーバ画像６と関連した簡易な動画からなる。また、記憶部１７には、任意の音楽を再生可能な音楽再生用のアプリケーションや、任意のウェブページを閲覧可能なアプリケーション（ウェブブラウザ）などの複数のアプリケーションがさらに格納されている。また、記憶部１７には、スクリーンセーバ画像６上に重ねてブラウザ領域７が表示される際に、ユーザによって予め設定された、マウス操作（ダブルクリック、ドラッグまたはクリック）に対応する処理の内容がさらに格納されている。
【００４３】
また、ノートパソコン１００は、ネットワーク接続部１８を介してインタネット３００と接続されており、制御部１５は、インタネット３００を介して、スクリーンセーバ提供元２００からアクセス許可／不許可情報およびコンテンツ情報などを受信するように構成されている。また、制御部１５は、ノートパソコン１００のＩＰ（Ｉｎｔｅｒｎｅｔ  Ｐｒｏｔｏｃｏｌ）アドレス、識別情報、ユーザ情報およびマウス操作情報などをスクリーンセーバ提供元２００に送信するように構成されている。また、ノートパソコン１００は、スクリーンセーバ提供元２００以外の接続先（図示せず）ともインタネット３００を介して接続されており、制御部１５によって、様々な情報の送受信が可能なように構成されている。なお、ネットワーク接続部１８は、本発明の「接続部」の一例である。
【００４４】
また、本実施形態では、スクリーンセーバ提供元２００は、サーバからなり、スクリーンセーバ画像６に関連する音楽コンテンツ、ウェブサイトのホームページ（ウェブページ）のＵＲＬおよびウェブサイトのホームページなどに関する複数の情報（コンテンツ情報）およびそれぞれのコンテンツ情報を起動させるアプリケーションを送信可能な状態で格納している。また、スクリーンセーバ提供元２００は、複数のコンテンツ情報からユーザ情報およびマウス操作情報に対応するコンテンツ情報を選択可能なように構成されている。また、スクリーンセーバ提供元２００には、スクリーンセーバ画像６の提供時に取得したノートパソコン１００のＩＰアドレスおよびユーザの識別情報が格納されている。また、スクリーンセーバ提供元２００は、スクリーンセーバ画像６の提供時に取得したＩＰアドレスまたはスクリーンセーバ画像６の提供時に割り当てた識別情報と、今回アクセスを要求するノートパソコン１００から送信されるＩＰアドレスまたはユーザの識別情報とを比較して、アクセス可否判断を行うように構成されている。また、ＩＰアドレスは、本発明の「アクセス可否判断情報」および「アドレス情報」の一例であり、識別情報は、本発明の「アクセス可否判断情報」の一例である。
【００４５】
また、本実施形態においては、ノートパソコン１００と、ノートパソコン１００とインタネット３００を介して接続されたスクリーンセーバ提供元２００とによって、情報表示システム５００が構成されている。
【００４６】
次に、図１〜図８を参照して、本発明の一実施形態によるノートパソコン１００の表示動作を説明する。
【００４７】
まず、図１に示すように、ノートパソコン１００の表示部１１には、デスクトップ画像３が表示されている。なお、表示部１１に表示される画像は、デスクトップ画像３でなく、任意のアプリケーションが起動されている状態のウィンドウ（図示せず）であってもよい。ここで、ユーザ（図示せず）が予め設定された所定の時間内においてキーボード１２、タッチパッド１３およびマウス２のいずれも操作しない場合には、図３に示すように、表示部１１の全面に渡って電子透かしが予め埋め込まれたスクリーンセーバ画像６が表示される。たとえば、スクリーンセーバ画像６は、若者向けの歌手の楽曲のミュージックビデオからなる。
【００４８】
また、表示部１１にスクリーンセーバ画像６が表示されると略同時に、スクリーンセーバ画像６の一部上に重なるようにブラウザ領域７が表示される。また、ブラウザ領域７は、表示部１１の右下の一部に配置されるとともに、ブラウザ領域７には、ユーザ情報およびスクリーンセーバ画像６と関連した関連動画７ａが表示される。たとえば、ユーザ情報の一部であるユーザの年齢が若い年齢である場合には、関連動画７ａは、スクリーンセーバ画像６に表示される若者向けの歌手のミュージックビデオと関連する若者向けの楽曲の簡易なプロモーションムービーからなる。
【００４９】
また、本実施形態では、ブラウザ領域７上にカーソル８を位置させた状態で、ユーザがマウス操作（ダブルクリック、ドラッグまたはクリック）を行うと、インタネット３００（図２参照）を介してノートパソコン１００からスクリーンセーバ提供元２００（図２参照）にアクセス要求が行われる。そして、スクリーンセーバ提供元２００では、ノートパソコン１００からのアクセス要求に応じてアクセス可否判断が行われる。
【００５０】
具体的には、アクセス可否判断は、まず、ＩＰアドレスに基づいて行われる。そして、ＩＰアドレスに基づくアクセス可否に関するアクセス情報が、スクリーンセーバ提供元２００からノートパソコン１００の制御部１５（図２参照）に送信される。また、ＩＰアドレスに基づいてアクセス許可されない場合には、アクセス可否判断は、図４に示す識別情報入力画面７ｂを介してユーザによって入力されたＩＤ情報などを含む識別情報に基づいて行われる。そして、ユーザによって入力された識別情報に基づくアクセス可否に関するアクセス情報が、スクリーンセーバ提供元２００からノートパソコン１００に送信される。また、ユーザによって識別情報が入力されない場合には、アクセス可否判断は、認証カード４またはＵＳＢメモリ５に記憶されている識別情報に基づいて行われる。そして、認証カード４またはＵＳＢメモリ５に記憶されている識別情報に基づくアクセス可否に関するアクセス情報が、スクリーンセーバ提供元２００からノートパソコン１００に送信される。なお、識別情報入力画面７ｂは、本発明の「入力画面」の一例である。
【００５１】
また、ＩＰアドレスに基づいてアクセスが許可されないとともに、ユーザによって識別情報入力画面７ｂに識別情報が入力されていない状態で、認証カード４またはＵＳＢメモリ５が差し込まれていない、または、認証カード４またはＵＳＢメモリ５に識別情報が記憶されていない場合には、図５に示すように、アクセス許可のために必要な情報７ｃがブラウザ領域７に表示される。このアクセス許可のために必要な情報７ｃには、スクリーンセーバ提供元２００においてアクセス許可を得る方法が含まれている。たとえば、アクセス許可のために必要な情報７ｃは、識別情報を得るためのスクリーンセーバ提供元２００のウェブページの情報（ＵＲＬ）からなる。これにより、アクセス許可を得る方法がユーザに通知される。また、アクセス可否判断の具体的なフローの内容については後述する。
【００５２】
そして、スクリーンセーバ提供元２００からアクセス情報がノートパソコン１００に送信され、アクセス情報に基づいて、ノートパソコン１００の制御部１５においてアクセス許可と判定されると、スクリーンセーバ画像６の電子透かしに埋め込まれているユーザ情報とユーザのマウス操作（ダブルクリック、ドラッグまたはクリック）に関する情報（マウス操作情報）とが、スクリーンセーバ提供元２００に送信される。そして、スクリーンセーバ提供元２００から、ユーザ情報およびマウス操作情報に対応するコンテンツ情報がノートパソコン１００に送信される。
【００５３】
具体的には、ユーザがマウス２をダブルクリックした場合に、アクセス可否判断においてアクセス許可と判定されると、インタネット３００を介してユーザ情報およびスクリーンセーバ画像６に関連する音楽コンテンツがコンテンツ情報としてスクリーンセーバ提供元２００からノートパソコン１００に送信される。この音楽コンテンツは、たとえば、スクリーンセーバ画像６に表示される歌手のミュージックビデオにおける音楽とは別の音楽に関する音楽コンテンツからなる。そして、ノートパソコン１００において任意の音楽を再生可能な音楽再生用のアプリケーションが起動される。また、ノートパソコン１００において、スクリーンセーバ提供元２００から音楽コンテンツと共に提供された音楽再生用のアプリケーションを起動させてもよい。これによって、図６に示すように、ブラウザ領域７には、音楽再生用画像７ｄが表示されるとともに、音楽コンテンツに対応する音楽がノートパソコン１００において再生される。なお、表示部１１に表示されているスクリーンセーバ画像６を表示したまま、ブラウザ領域７に音楽再生用画像７ｄが表示されるとともに、音楽がノートパソコン１００において再生される。また、起動された音楽再生用のアプリケーションにおいて、音楽コンテンツに対応する音楽以外の音楽を再生させることも可能である。なお、音楽コンテンツは、本発明の「コンテンツ」の一例である。
【００５４】
また、ユーザがマウス２をドラッグした場合に、アクセス可否判断においてアクセス許可と判定されると、スクリーンセーバ提供元２００からインタネット３００を介してユーザ情報およびスクリーンセーバ画像６に関連するウェブサイトのホームページ（ウェブページ）のＵＲＬがコンテンツ情報としてスクリーンセーバ提供元２００からノートパソコン１００に送信される。このホームページのＵＲＬは、たとえば、スクリーンセーバ画像６に表示される歌手の音楽を配信している音楽配信サイトのホームページのＵＲＬである。そして、ノートパソコン１００において任意のウェブページを閲覧可能なアプリケーション（ウェブブラウザ）が起動される。また、ノートパソコン１００において、スクリーンセーバ提供元２００からウェブページのＵＲＬと共に提供されたウェブブラウザを起動させてもよい。これによって、図７に示すように、ブラウザ領域７には、ウェブサイトのホームページのＵＲＬの文字画像７ｅが表示される。この文字画像７ｅにカーソル８を合わせた状態で、マウス２をクリックすることによって、図８に示すように、ブラウザ領域７には、ユーザ情報およびスクリーンセーバ画像６に関連するウェブサイトが表示される。なお、表示部１１に表示されているスクリーンセーバ画像６を表示しながら、ブラウザ領域７にウェブサイトのホームページのＵＲＬの文字画像７ｅおよびウェブサイトのホームページ画像７ｆが表示される。また、起動された任意のウェブページを閲覧可能なアプリケーション（ウェブブラウザ）において、ウェブサイトのホームページのＵＲＬの文字画像７ｅおよびウェブサイトのホームページ画像７ｆ以外のウェブページの画像を表示させることも可能である。なお、ウェブサイトのホームページのＵＲＬは、本発明の「コンテンツ」の一例である。
【００５５】
また、ユーザがマウス２をクリックした場合に、アクセス可否判断においてアクセス許可と判定されると、スクリーンセーバ提供元２００からインタネット３００を介してユーザ情報およびスクリーンセーバ画像６に関連するウェブサイトのホームページ（ウェブページ）がコンテンツ情報としてノートパソコン１００に送信される。そして、ノートパソコン１００においてウェブブラウザが起動する。また、ノートパソコン１００において、スクリーンセーバ提供元２００からウェブページと共に提供されたウェブブラウザを起動させてもよい。このホームページは、たとえば、スクリーンセーバ画像６に表示される歌手の音楽を配信している音楽配信サイトのホームページである。そして、図８に示すように、ブラウザ領域７には、ユーザ情報およびスクリーンセーバ画像６に関連するウェブサイトのホームページ画像７ｆが表示される。なお、表示部１１に表示されているスクリーンセーバ画像６を表示しながら、ブラウザ領域７にウェブサイトのホームページ画像７ｆが表示される。また、起動された任意のウェブページを閲覧可能なアプリケーション（ウェブブラウザ）において、ウェブサイトのホームページ画像７ｆ以外のウェブページの画像を表示させることも可能である。なお、ウェブサイトのホームページは、本発明の「コンテンツ」の一例である。
【００５６】
また、スクリーンセーバ画像６が表示されている状態で、キーボード１２、タッチパッド１３およびマウス２のいずれかが操作されることによりスクリーンセーバ画像６の表示が解除される一般的なパーソナルコンピュータの構成とは異なり、本実施形態では、スクリーンセーバ画像６は、キーボード１２、タッチパッド１３およびマウス２のいずれかを操作しただけでは解除されない。本実施形態では、ブラウザ領域７上でないスクリーンセーバ画像６上にカーソル８を位置させ、かつ、ユーザがマウス２をクリックすることによって、図１に示すように、スクリーンセーバ画像６およびブラウザ領域７の表示が解除される。
【００５７】
次に、図２、図３、図９および図１０を参照して、本発明の一実施形態によるノートパソコン１００のスクリーンセーバ画像６のダウンロード時の制御フローおよびスクリーンセーバ提供元２００のスクリーンセーバ画像６の提供時の制御フローを説明する。
【００５８】
まず、ノートパソコン１００のスクリーンセーバ画像６のダウンロード時には、図９に示すように、ノートパソコン１００の制御部１５により、ステップＳ１において、ユーザの要求に応じて、インタネット３００を介してスクリーンセーバ画像要求情報がスクリーンセーバ提供元２００（図２参照）に送信される。
【００５９】
一方、ノートパソコン１００の制御部１５（図２参照）からスクリーンセーバ提供元２００にスクリーンセーバ画像要求情報が送信されると、スクリーンセーバ提供元２００は、図１０に示すステップＳ２０１において、スクリーンセーバ画像要求情報を受信したか否かを判断する。そして、ステップＳ２０１において、スクリーンセーバ画像要求情報を受信したと判断した場合には、ステップＳ２０２に進み、ユーザにユーザ情報を入力させるための入力用画面情報をノートパソコン１００に送信する。また、ステップＳ２０１において、スクリーンセーバ画像要求情報を受信するまでスクリーンセーバ提供元２００はステップＳ２０１の判断を繰り返す。
【００６０】
また、スクリーンセーバ提供元２００からノートパソコン１００に入力用画面情報が送信されると、ノートパソコン１００の制御部１５により、図９に示すステップＳ２において、入力用画面情報を受信したか否かが判断される。そして、ノートパソコン１００の制御部１５は、ステップＳ２において、入力用画面情報を受信したと判断した場合には、ステップＳ３に進み、ユーザにユーザ情報を入力させるための入力用画面（図示せず）を表示部１１に表示させる。そして、ステップＳ４に進む。また、ステップＳ２において、ノートパソコン１００の制御部１５により、入力用画面情報を受信するまでステップＳ２の判断が繰り返される。
【００６１】
次に、ステップＳ４において、ノートパソコン１００の制御部１５により、ユーザ情報を受け付けたか否かが判断される。そして、ステップＳ４において、ユーザ情報を受け付けたと判断された場合には、ステップＳ５に進み、制御部１５は、受け付けたユーザ情報をスクリーンセーバ提供元２００に送信する。また、ステップＳ４において、ユーザ情報を受け付けるまでステップＳ４の判断が繰り返される。
【００６２】
また、制御部１５からスクリーンセーバ提供元２００にユーザ情報が送信されると、スクリーンセーバ提供元２００は、図１０に示すステップＳ２０３において、ユーザ情報を受信したか否かを判断する。そして、ステップＳ２０３において、ユーザ情報を受信したと判断した場合には、ステップＳ２０４に進み、スクリーンセーバ画像要求情報に対応したスクリーンセーバ画像６（図３参照）および関連動画７ａ（図３参照）を選択するとともに、制御部１５から送信されたユーザ情報をスクリーンセーバ画像６に電子透かしとして埋め込む。そして、ステップＳ２０５に進み、スクリーンセーバ提供元２００は、電子透かしが埋め込まれたスクリーンセーバ画像６および関連動画７ａと、ユーザに対して割り当てられたＩＤ情報およびパスワード情報とをノートパソコン１００に送信する。そして、ステップＳ２０６に進み、スクリーンセーバ提供元２００は、スクリーンセーバ画像６のダウンロードを要求したユーザに対して割り当てたＩＤ情報およびパスワード情報と、ノートパソコン１００のＩＰアドレスとをアクセス可否判断に用いるために記憶する。これにより、スクリーンセーバ提供元２００のスクリーンセーバ画像６の提供時の制御が終了される。また、スクリーンセーバ提供元２００は、ステップＳ２０３において、ユーザ情報を受信するまでステップＳ２０３の判断を繰り返す。
【００６３】
また、スクリーンセーバ提供元２００からノートパソコン１００にスクリーンセーバ画像６および関連動画７ａと、ＩＤ情報およびパスワード情報とが送信されると、ノートパソコン１００の制御部１５により、図９に示すステップＳ６において、スクリーンセーバ画像６および関連動画７ａと、ＩＤ情報およびパスワード情報とを受信したか否かが判断される。そして、ステップＳ６において、スクリーンセーバ画像６および関連動画７ａと、ＩＤ情報およびパスワード情報とを受信したと判断された場合には、ステップＳ７に進み、ノートパソコン１００の記憶部１７（図２参照）に、スクリーンセーバ画像６の情報と関連動画７ａの情報とが記憶される。その後、ステップＳ８に進み、スクリーンセーバ画像６がスクリーンセーバとして表示部１１（図２参照）に表示されるように設定される。これにより、ノートパソコン１００のスクリーンセーバ画像６のダウンロード時の制御が終了される。また、ノートパソコン１００の制御部１５は、ステップＳ６において、スクリーンセーバ画像６および関連動画７ａと、ＩＤ情報およびパスワード情報とを受信するまでステップＳ６の判断を繰り返す。
【００６４】
次に、図１〜図８および図１１〜図１６を参照して、本発明の一実施形態によるノートパソコン１００のスクリーンセーバ画像６の表示時の制御フローおよびスクリーンセーバ提供元２００の制御フローを説明する。
【００６５】
まず、ノートパソコン１００のスクリーンセーバ画像６の表示時には、図１に示すノートパソコン１００の表示部１１にデスクトップ画像３が表示されている状態で、図１１に示すステップＳ１１において、所定時間の間に、キーボード１２（図１参照）、タッチパッド１３（図１参照）およびマウス２（図１参照）のいずれかが操作されたか否かが制御部１５により判断される。そして、ステップＳ１１において、所定時間の間にいずれも操作されていないと判断された場合には、ステップＳ１２に進み、制御部１５（図２参照）は、図３に示す表示部１１の全面に渡ってスクリーンセーバ画像６を表示するように制御する。そして、制御部１５は、ステップＳ１３において、表示部１１の右下の一部にスクリーンセーバ画像６の一部の上に重なるようにブラウザ領域７を表示するとともに、カーソル８を表示部１１に表示するように制御する。また、制御部１５は、ブラウザ領域７に、ユーザ情報およびスクリーンセーバ画像６に関連した関連動画７ａが表示されるように制御する。そして、ステップＳ１４に進む。なお、ステップＳ１１においては、所定の時間の間にいずれも操作されていないと判断されるまでステップＳ１１の判断が繰り返される。
【００６６】
次に、ステップＳ１４において、制御部１５により、ブラウザ領域７上にカーソル８が位置しているか否かが判断される。そして、ステップＳ１４において、ブラウザ領域７上にカーソル８が位置していると判断された場合には、ステップＳ１５に進む。また、ステップＳ１４において、ブラウザ領域７上にカーソル８が位置していないと判断された場合には、ステップＳ１７に進む。
【００６７】
次に、ステップＳ１５において、制御部１５により、ブラウザ領域７上にカーソル８を位置させた状態で、ユーザによってマウス２がダブルクリック、ドラッグまたはクリック（マウス操作）されたか否かが判断される。そして、ステップＳ１５において、マウス２が操作されたと判断された場合には、ステップＳ１６に進む。また、ステップＳ１５において、マウス２が操作されていないと判断された場合には、ステップＳ１４に戻る。
【００６８】
また、ステップＳ１７において、制御部１５により、ブラウザ領域７上でなくスクリーンセーバ画像６上にカーソル８を位置させた状態で、マウス２がクリックされたか否かが判断される。そして、ステップＳ１７において、クリックされたと判断された場合には、ステップＳ１８に進み、表示部１１に表示されたスクリーンセーバ画像６の表示が解除され、図１に示すようなデスクトップ画像３または任意のアプリケーションが起動されている状態のウィンドウ（図示せず）が表示部１１に表示される。これにより、ノートパソコン１００のスクリーンセーバ画像６の表示時の制御フローが終了される。また、ステップＳ１７において、クリックされていないと判断された場合には、ステップＳ１４に戻る。
【００６９】
ここで、本実施形態では、ステップＳ１６において、インタネット３００（図２参照）を介してノートパソコン１００とスクリーンセーバ提供元２００（図２参照）との間においてアクセス可否判断が行われる。具体的には、図１２に示すように、まず、ステップＳ１６ａにおいて、制御部１５により、スクリーンセーバ画像６にユーザ情報が電子透かしとして埋め込まれているか否かが判断される。そして、ステップＳ１６ａにおいて、スクリーンセーバ画像６に電子透かしが埋め込まれていると判断された場合には、ステップＳ１６ｂに進み、インタネット３００を介して、スクリーンセーバ提供元２００にＩＰアドレスが送信される。また、ステップＳ１６ａにおいて、スクリーンセーバ画像６に電子透かしが埋め込まれていないと判断された場合には、ステップＳ１６ｃに進み、アクセス可否判断において、アクセス不許可と判定される。そして、図１１に示すステップＳ１９に進む。
【００７０】
また、ステップＳ１６ｂにおいて、ノートパソコン１００からスクリーンセーバ提供元２００にノートパソコン１００のＩＰアドレスが送信されると、スクリーンセーバ提供元２００では、図１３に示すステップＳ２１１において、ＩＰアドレスを受信したか否かが判断される。そして、ステップＳ２１１において、ＩＰアドレスを受信したと判断された場合には、ステップＳ２１２に進む。また、ステップＳ２１１においては、ＩＰアドレスを受信するまでステップＳ２１１の判断を繰り返す。
【００７１】
次に、ステップＳ２１２において、スクリーンセーバ画像６の提供時に取得したノートパソコン１００のＩＰアドレスと、今回ノートパソコン１００から送信されたノートパソコン１００のＩＰアドレスとが同一か否かが判断される。そして、ステップＳ２１２において、スクリーンセーバ画像６の提供時に取得したノートパソコン１００のＩＰアドレスと、今回ノートパソコン１００から送信されたノートパソコン１００のＩＰアドレスとが同一であると判断された場合には、ステップＳ２１３に進み、アクセス許可の情報が生成される。そして、ステップＳ２１５に進む。また、ステップＳ２１２において、スクリーンセーバ画像６の提供時に取得したノートパソコン１００のＩＰアドレスと、今回ノートパソコン１００から送信されたノートパソコン１００のＩＰアドレスとが同一でないと判断された場合には、ステップＳ２１４に進み、アクセス不許可の情報が生成される。そして、ステップＳ２１５に進む。
【００７２】
最後に、ステップＳ２１５において、生成されたアクセス許可／不許可の情報（アクセス情報）が、スクリーンセーバ提供元２００からノートパソコン１００に送信される。これにより、スクリーンセーバ提供元２００のＩＰアドレス受信時の制御フローが終了される。
【００７３】
また、スクリーンセーバ提供元２００からノートパソコン１００にアクセス情報が送信されると、ノートパソコン１００の制御部１５では、図１２に示すステップＳ１６ｄにおいて、アクセス情報を受信したか否かが判断される。そして、ステップＳ１６ｄにおいて、アクセス情報を受信したと判断された場合には、ステップＳ１６ｅに進む。また、ステップＳ１６ｄにおいては、アクセス情報を受信するまでステップＳ１６ｄの判断を繰り返す。
【００７４】
次に、ステップＳ１６ｅにおいて、制御部１５により、スクリーンセーバ提供元２００から送信されたアクセス情報がアクセス許可の情報か否かが判断される。そして、ステップＳ１６ｅにおいて、スクリーンセーバ提供元２００から送信されたアクセス情報がアクセス許可の情報であると判断された場合には、ステップＳ１６ｆに進み、アクセス可否判断において、アクセス許可と判定される。そして、図１１に示すステップＳ１９に進む。また、ステップＳ１６ｅにおいて、スクリーンセーバ提供元２００から送信されたアクセス情報がアクセス不許可の情報であると判断された場合には、ステップＳ１６ｇに進み、図４に示すように、ブラウザ領域７に識別情報入力画面７ｂが表示される。そして、ステップＳ１６ｈに進む。
【００７５】
次に、ステップＳ１６ｈにおいて、制御部１５により、識別情報入力画面７ｂに入力された識別情報（ＩＤ情報およびパスワード情報）を受け付けたか否かが判断される。そして、ステップＳ１６ｈにおいて、識別情報入力画面７ｂに入力された識別情報を受け付けたと判断された場合には、ステップＳ１６ｉに進み、制御部１５は、スクリーンセーバ提供元２００に識別情報を送信する。また、ステップＳ１６ｈにおいて、識別情報入力画面７ｂに入力された識別情報を受け付けていないと判断された場合には、ステップＳ１６ｊに進む。
【００７６】
また、ステップＳ１６ｉにおいて、ノートパソコン１００からスクリーンセーバ提供元２００に識別情報が送信されると、スクリーンセーバ提供元２００では、図１４に示すステップＳ２２１において、識別情報を受信したか否かが判断される。そして、ステップＳ２２１において、識別情報を受信したと判断された場合には、ステップＳ２２２に進む。また、ステップＳ２２１において、識別情報を受信するまでステップＳ２２１の判断が繰り返される。
【００７７】
次に、ステップＳ２２２において、スクリーンセーバ画像６の提供時に割り当てたユーザの識別情報と、今回ノートパソコン１００から送信された識別情報とが同一か否かが判断される。そして、ステップＳ２２２において、スクリーンセーバ画像６の提供時に割り当てたユーザの識別情報と、今回ノートパソコン１００から送信された識別情報とが同一であると判断された場合には、ステップＳ２２３に進み、アクセス許可の情報が生成される。そして、ステップＳ２２５に進む。また、ステップＳ２２２において、スクリーンセーバ画像６の提供時に割り当てたユーザの識別情報と、今回ノートパソコン１００から送信された識別情報とが同一でないと判断された場合には、ステップＳ２２４に進み、アクセス不許可の情報が生成される。そして、ステップＳ２２５に進む。
【００７８】
最後に、ステップＳ２２５において、生成されたアクセス許可／不許可の情報（アクセス情報）が、スクリーンセーバ提供元２００からノートパソコン１００に送信される。これにより、スクリーンセーバ提供元２００の識別情報受信時の制御フローが終了される。
【００７９】
また、スクリーンセーバ提供元２００からノートパソコン１００にアクセス情報が送信されると、図１２に示すステップＳ１６ｋにおいて、ノートパソコン１００の制御部１５により、アクセス情報を受信したか否かが判断される。そして、ステップＳ１６ｋにおいて、アクセス情報を受信したと判断された場合には、ステップＳ１６ｌに進む。また、ステップＳ１６ｋにおいては、アクセス情報を受信するまでステップＳ１６ｋの判断が繰り返される。
【００８０】
次に、ステップＳ１６ｌにおいて、制御部１５により、スクリーンセーバ提供元２００から送信されたアクセス情報がアクセス許可の情報か否かが判断される。そして、ステップＳ１６ｌにおいて、スクリーンセーバ提供元２００から送信されたアクセス情報がアクセス許可の情報であると判断された場合には、ステップＳ１６ｆに進み、アクセス可否判断において、アクセス許可と判定される。そして、図１１に示すステップＳ１９に進む。また、ステップＳ１６ｌにおいて、スクリーンセーバ提供元２００から送信されたアクセス情報がアクセス不許可の情報であると判断された場合には、ステップＳ１６ｃに進み、アクセス可否判断において、アクセス不許可と判定される。そして、図１１に示すステップＳ１９に進む。
【００８１】
また、ステップＳ１６ｊにおいて、カードスロット１４（図３参照）に認証カード４（図３参照）が差し込まれているか、または、ＵＳＢポート１０ｂ（図３参照）にＵＳＢメモリ５（図３参照）が差し込まれているか否かが判断される。そして、ステップＳ１６ｊにおいて、カードスロット１４に認証カード４が差し込まれている、または、ＵＳＢポート１０ｂにＵＳＢメモリ５が差し込まれていると判断された場合には、ステップＳ１６ｍに進む。また、ステップＳ１６ｊにおいて、カードスロット１４に認証カード４が差し込まれていない、かつ、ＵＳＢポート１０ｂにＵＳＢメモリ５が差し込まれていないと判断された場合には、ステップＳ１６ｎに進み、図５に示すように、ブラウザ領域７にアクセス許可のために必要な情報７ｃが表示される。そして、図１２に示すステップＳ１６ｃに進み、アクセス可否判断において、アクセス不許可と判定される。そして、図１１に示すステップＳ１９に進む。
【００８２】
次に、ステップＳ１６ｍにおいて、制御部１５により、差し込まれている認証カード４またはＵＳＢメモリ５に識別情報が書き込まれているか否かが判断される。そして、ステップＳ１６ｍにおいて、認証カード４またはＵＳＢメモリ５に識別情報が書き込まれていると判断された場合には、ステップＳ１６ｉに進み、スクリーンセーバ提供元２００に識別情報が送信される。また、ステップＳ１６ｍにおいて、認証カード４またはＵＳＢメモリ５に識別情報が書き込まれていないと判断された場合には、ステップＳ１６ｎに進む。
【００８３】
そして、図１１に示すステップＳ１９において、ノートパソコン１００の制御部１５により、スクリーンセーバ提供元２００におけるアクセス可否判断において、アクセス許可と判定されたか否かが判断される。そして、ステップＳ１９において、アクセス許可と判定されたと判断された場合には、図１５に示すステップＳ２０に進み、スクリーンセーバ画像６に埋め込まれている電子透かしがユーザ情報として読み出される。そして、ステップＳ２１に進み、スクリーンセーバ画像６から読み出されたユーザ情報とマウス操作情報とがスクリーンセーバ提供元２００に送信される。また、図１１に示すステップＳ１９において、アクセス不許可と判定された場合には、ノートパソコン１００のスクリーンセーバ画像６の表示時の制御フローが終了される。
【００８４】
また、図１５に示すステップＳ２１において、ノートパソコン１００からスクリーンセーバ提供元２００にユーザ情報とマウス操作情報とが送信されると、スクリーンセーバ提供元２００では、図１６に示すステップＳ２３１において、ユーザ情報とマウス操作情報とを受信したか否かが判断される。そして、ステップＳ２３１において、ユーザ情報とマウス操作情報とを受信したと判断された場合には、ステップＳ２３２に進む。また、ステップＳ２３１においては、ユーザ情報とマウス操作情報とを受信するまでステップＳ２３１の判断を繰り返す。
【００８５】
次に、ステップＳ２３２において、スクリーンセーバ提供元２００は、スクリーンセーバ画像６およびユーザ情報とマウス操作情報とに対応するコンテンツ情報を選択する。具体的には、マウス２がダブルクリックされた場合には、スクリーンセーバ提供元２００において、ユーザ情報およびスクリーンセーバ画像６に関連する音楽コンテンツがコンテンツ情報として選択される。また、マウス２がドラッグされた場合には、スクリーンセーバ提供元２００において、ユーザ情報およびスクリーンセーバ画像６に関連するウェブサイトのホームページのＵＲＬがコンテンツ情報として選択される。また、マウス２がクリックされた場合には、スクリーンセーバ提供元２００において、ユーザ情報およびスクリーンセーバ画像６に関連するウェブサイトのホームページがコンテンツ情報として選択される。また、コンテンツ情報に対応するアプリケーションも選択されることが可能である。そして、ステップＳ２３３に進み、選択されたコンテンツ情報が、スクリーンセーバ提供元２００からノートパソコン１００に送信される。これにより、スクリーンセーバ提供元２００のコンテンツ情報選択時の制御フローが終了される。
【００８６】
また、スクリーンセーバ提供元２００からノートパソコン１００にコンテンツ情報が送信されると、図１５に示すステップＳ２２において、ノートパソコン１００の制御部１５により、コンテンツ情報を受信したか否かが判断される。そして、ステップＳ２２において、コンテンツ情報を受信したと判断された場合には、ステップＳ２３に進み、受信したコンテンツ情報に対応したアプリケーションが起動される。具体的には、マウス２がダブルクリックされた場合には、音楽コンテンツに対応して、任意の音楽を再生可能な音楽再生用のアプリケーションが起動される。また、マウス２がドラッグされた場合には、ウェブサイトのホームページのＵＲＬに対応して、ウェブブラウザが起動される。また、マウス２がクリックされた場合には、ウェブサイトのホームページに対応して、ウェブブラウザが起動される。
【００８７】
そして、ステップＳ２４に進み、ブラウザ領域７で音楽再生または画像表示が行われる。具体的には、マウス２がダブルクリックされた場合には、図６に示すように、ブラウザ領域７に、音楽再生用画像７ｄが表示されるとともに、音楽コンテンツに対応する音楽がノートパソコン１００において再生される。また、マウス２がドラッグされた場合には、図７に示すように、ブラウザ領域７に、ウェブサイトのホームページのＵＲＬの文字画像７ｅが表示される。また、マウス２がクリックされた場合には、図８に示すように、ブラウザ領域７に、ウェブサイトのホームページ画像７ｆが表示される。これにより、ノートパソコン１００のスクリーンセーバ画像６の表示時の制御が終了される。また、ステップＳ２２においては、コンテンツ情報を受信するまでステップＳ２２の判断が繰り返される。
【００８８】
本実施形態では、上記のように、スクリーンセーバ画像６がユーザ情報を有するように構成することによって、ノートパソコン１００に一般的に設けられているスクリーンセーバ画像６にユーザ情報を有するように構成することになるので、ユーザ情報を記憶させるためのデータベースなどを別途設ける必要がない。また、スクリーンセーバ画像６が元々有しているユーザ情報に基づいてコンテンツ（音楽コンテンツ、ウェブサイトのホームページのＵＲＬおよびウェブサイトのホームページ）を選択して表示するように構成することによって、ユーザ情報を別途登録することなく、スクリーンセーバ画像６のユーザ情報に基づいたコンテンツが自動的に選択されて表示することが可能になる。また、スクリーンセーバ画像６とは異なるブラウザ領域７をスクリーンセーバ画像６上に重ねて配置するとともに、そのブラウザ領域７に、ユーザ情報に基づいて選択されたコンテンツに関する情報（音楽再生用画像７ｄ、ウェブサイトのホームページのＵＲＬの文字画像７ｅおよびウェブサイトのホームページ画像７ｆ）を表示することによって、スクリーンセーバ画像６の一部として選択された情報を表示する場合と異なり、選択された情報が切り替わることなく表示されるので、ユーザに対して表示されたコンテンツに関する情報を見やすくすることができる。
【００８９】
また、本実施形態では、上記のように、制御部１５により、ブラウザ領域７に、スクリーンセーバ画像６のユーザ情報に基づいてスクリーンセーバ提供元２００によって選択されたコンテンツに関する情報がインタネット３００を介してスクリーンセーバ提供元２００から受信されて表示されるように構成することによって、スクリーンセーバ提供元２００により、スクリーンセーバ画像６のユーザ情報を用いてスクリーンセーバ画像６に関連するとともにユーザに適したコンテンツが選択されることが可能になるので、制御部１５により、そのスクリーンセーバ画像６に関連し、かつ、ユーザに適したコンテンツに関する情報をスクリーンセーバ提供元２００から受信して表示することができる。
【００９０】
また、本実施形態では、上記のように、制御部１５により、スクリーンセーバ提供元２００とのアクセスが許可されている場合に、スクリーンセーバ画像６のユーザ情報がインタネット３００を介してスクリーンセーバ提供元２００に送信されるとともに、スクリーンセーバ提供元２００によって選択されたコンテンツに関する情報がスクリーンセーバ提供元２００から受信されて、ブラウザ領域７に表示されるように構成することによって、アクセス許可されているユーザのみに対して、スクリーンセーバ画像６のユーザ情報に基づいて選択されたコンテンツに関する情報をインタネット３００を介して提供することができる。
【００９１】
また、本実施形態では、上記のように、制御部１５により、アクセス許可のためのアクセス可否判断情報（ＩＰアドレスおよび識別情報）がスクリーンセーバ提供元２００に送信され、かつ、アクセス可否の情報（アクセス情報）がスクリーンセーバ提供元２００から受信されるように構成することによって、制御部１５によりアクセス可否判断情報をスクリーンセーバ提供元２００に送信することによって、スクリーンセーバ提供元２００に以前スクリーンセーバ画像６を提供したユーザと今回アクセスを求めてきたユーザとが同一かどうかをアクセス可否判断情報を用いて判別させることにより、アクセスを許可するか否かを容易に判断させることができる。
【００９２】
また、本実施形態では、上記のように、制御部１５により、ＩＰアドレスがスクリーンセーバ提供元２００に送信され、かつ、ＩＰアドレスに基づくアクセス可否の情報（アクセス情報）がスクリーンセーバ提供元２００から受信されるように構成することによって、制御部１５により送信されたノートパソコン１００のＩＰアドレスにより、スクリーンセーバ提供元２００にアクセスを許可するか否かを容易に判断させることができる。
【００９３】
また、本実施形態では、上記のように、制御部１５により、ＩＰアドレスに基づくアクセス許可が得られない場合、ブラウザ領域７に識別情報を入力するための識別情報入力画面７ｂが表示されるとともに、入力された識別情報がスクリーンセーバ提供元２００に送信され、かつ、アクセス可否の情報（アクセス情報）がスクリーンセーバ提供元２００から受信されるように構成することによって、スクリーンセーバ提供元２００によりＩＰアドレスによるアクセス許可が得られない場合においても、識別情報入力画面７ｂにおいて識別情報をユーザに入力させることによって、スクリーンセーバ提供元２００にアクセスを許可するか否かを容易に判断させることができる。
【００９４】
また、本実施形態では、上記のように、ＩＰアドレスに基づいてアクセスが許可されないとともに、ユーザによって識別情報入力画面７ｂに識別情報が入力されていない状態で、認証カード４またはＵＳＢメモリ５が差し込まれていない、または、認証カード４またはＵＳＢメモリ５に識別情報が記憶されていない場合、制御部１５により、アクセス許可のために必要な情報７ｃがブラウザ領域７に表示されることにより、ユーザに通知するように構成することによって、ユーザは容易にアクセス許可を得る方法を認識することができるので、ユーザは、容易に、アクセス許可するための方法を実行してアクセス許可を得ることができる。
【００９５】
また、本実施形態では、上記のように、制御部１５により、スクリーンセーバ画像６のユーザ情報に基づいて選択されたコンテンツ（音楽コンテンツ）に対応するアプリケーションをスクリーンセーバ提供元２００から受信して起動させることによって、ブラウザ領域７に音楽再生用画像７ｄが表示されるとともに、アプリケーションによって音楽コンテンツに対応する音楽が再生されるように構成することによって、スクリーンセーバ画像６のユーザ情報に基づいて選択され、スクリーンセーバ画像６と関連し、かつ、ユーザに適した音楽コンテンツに対応する音楽の再生および音楽再生用画像７ｄの表示を行うことができる。
【００９６】
また、本実施形態では、上記のように、制御部１５により、ブラウザ領域７に、スクリーンセーバ画像６のユーザ情報に基づいてアプリケーションによってウェブサイトのホームページのＵＲＬの文字画像７ｅまたはウェブサイトのホームページ画像７ｆが表示されるように構成することによって、スクリーンセーバ画像６のユーザ情報に基づいて選択され、スクリーンセーバ画像６と関連し、かつ、ユーザに適したウェブサイトのホームページのＵＲＬの文字画像７ｅまたはウェブサイトのホームページ画像７ｆの表示をブラウザ領域７において行うことができる。
【００９７】
また、本実施形態では、上記のように、制御部１５により、ブラウザ領域７に、スクリーンセーバ画像６に電子透かしとして埋め込まれたユーザ情報に基づいて選択されたコンテンツに関する情報が表示されるように構成することによって、電子透かしを用いてスクリーンセーバ画像６にユーザ情報を埋め込むことができるので、スクリーンセーバ画像６の画質を略保った状態で、スクリーンセーバ画像６がユーザ情報を有するように構成することができる。
【００９８】
また、本実施形態では、上記のように、制御部１５により、表示部１１にスクリーンセーバ画像６を表示しながら、ブラウザ領域７に、選択されたコンテンツに関する情報（音楽再生用画像７ｄ、ウェブサイトのホームページのＵＲＬの文字画像７ｅおよびウェブサイトのホームページ画像７ｆ）を表示するように構成することによって、スクリーンセーバ画像６を表示したまま、ブラウザ領域７において選択されたコンテンツに関する情報を閲覧することができるので、表示部１１の焼付きを抑制しながら、コンテンツに関する情報を閲覧することができる。
【００９９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１００】
たとえば、上記実施形態では、情報表示装置の一例としてノートパソコン１００に本発明を適用した例を示したが、本発明はこれに限らず、たとえば、ＰＤＡ（Ｐｅｒｓｏｎａｌ  Ｄｉｇｉｔａｌ  Ａｓｓｉｓｔａｎｔ）などの携帯情報端末や、デスクトップ型のパーソナルコンピュータなどの情報表示装置に適用してもよい。
【０１０１】
また、上記実施形態では、マウス２の操作（ダブルクリック、ドラッグまたはクリック）を用いて、アクセス許可／不許可判定後のノートパソコン１００のアプリケーションの起動動作を異ならせる（音楽再生、ＵＲＬ表示またはホームページ表示）ように制御する例を示したが、本発明はこれに限らず、図１７に示した変形例のように、ノートパソコン４００の表示部１１において、ブラウザ領域４０７にメニュー４０７ｇを表示させ、ユーザにカーソル８を用いてメニュー４０７ｇの選択項目を選択させることによって、アクセス許可／不許可の判定後のノートパソコン４００のアプリケーションの起動動作を異ならせるように構成してもよい。
【０１０２】
また、上記実施形態では、ブラウザ領域７に、音楽再生用画像７ｄが表示されるとともに、音楽コンテンツに対応する音楽がノートパソコン１００において再生される例を示したが、本発明はこれに限らず、ブラウザ領域は、コンテンツに関する情報が表示されるように構成されていればよく、必ずしも音楽再生ができる必要はない。
【０１０３】
また、上記実施形態では、マウス２の操作（ダブルクリック、ドラッグまたはクリック）を用いて、アクセス許可判定後のノートパソコン１００のアプリケーションの起動動作を異ならせる（音楽再生、ＵＲＬ表示またはホームページ表示）ように制御する例を示したが、本発明はこれに限らず、マウスの右ボタン、キーボードおよびタッチパッドを用いて、アクセス許可判定後のノートパソコンのアプリケーションの起動動作を異ならせるように構成してもよいし、タッチパネルなどの他の入力装置を用いて、アクセス許可判定後のノートパソコンのアプリケーションの起動動作を異ならせるように構成してもよい。
【０１０４】
また、上記実施形態では、関連動画７ａをスクリーンセーバ画像６と共にダウンロードするとともに、関連動画７ａの情報を記憶部１７に記憶させる例を示したが、本発明はこれに限らず、関連動画をスクリーンセーバ画像と共にダウンロードせずに、スクリーンセーバ画像が表示部に表示される際に、スクリーンセーバ提供元からネットワークを介して関連動画をダウンロードして、ブラウザ領域に表示させるように構成してもよい。この際、スクリーンセーバ提供元において関連動画を提供するためにアクセス可否の判断を必要としないように構成してもよいし、関連動画を表示させる前に、スクリーンセーバ提供元においてアクセス可否の判断を行わせてもよい。
【０１０５】
また、上記実施形態では、スクリーンセーバ提供元２００においてＩＰアドレスによってアクセス許可の判断を行う例を示したが、本発明はこれに限らず、クッキー情報を用いて、以前ユーザが正規にアクセスしたか否かを判断することによって、アクセス可否の判断を行うように構成してもよい。
【０１０６】
また、上記実施形態では、スクリーンセーバ提供元２００においてＩＰアドレスによってアクセス可否の判断を行い、スクリーンセーバ提供元２００においてアクセス不許可の判断がなされた場合に、識別情報を用いてアクセス許可の判断を行う例を示したが、本発明はこれに限らず、スクリーンセーバ提供元において、ＩＰアドレスまたは識別情報のどちらか一方のみを用いてアクセス可否の判断を行うように構成してもよい。
【０１０７】
また、上記実施形態では、識別情報入力画面７ｂにユーザが識別情報を入力する場合と、識別情報が書き込まれた認証カード４またはＵＳＢメモリ５がカードスロット１４またはＵＳＢポート１０ｂに差し込まれている場合とにおいて、識別情報を用いてアクセス可否の判断を行う例を示したが、本発明はこれに限らず、識別情報入力画面にユーザが識別情報を入力する場合と、識別情報が書き込まれた認証カードまたはＵＳＢメモリがカードスロットまたはＵＳＢポートに差し込まれている場合とのどちらか一方のみにおいて、識別情報を用いてアクセス可否の判断を行うように構成してもよい。
【０１０８】
また、上記実施形態では、スクリーンセーバ提供元２００からユーザ情報およびマウス操作情報に基づいて選択されたコンテンツ情報が送信される例を示したが、本発明はこれに限らず、スクリーンセーバ提供元からユーザ情報に基づいて選択されたコンテンツ情報が一括して制御部（ノートパソコン）に送信されるとともに、ノートパソコン側においてユーザが一括送信されたコンテンツ情報のうちから所望のコンテンツを選択し、選択されたコンテンツに対応するアプリケーションを起動させるように構成してもよい。
【０１０９】
また、上記実施形態では、ユーザがマウス２の左ボタン２ａを短い間に２度押下する（ダブルクリック）、マウス２の左ボタン２ａを押下した状態でマウス２を平面上で移動させる（ドラッグ）、または、マウス２の左ボタン２ａを押下する（クリック）ことによって、インタネット３００を介してノートパソコン１００とスクリーンセーバ提供元２００との間においてアクセス可否判断が行われる例を示したが、本発明はこれに限らず、キーボード、タッチパッドおよびマウスのいずれかを操作することにより、ノートパソコンとスクリーンセーバ提供元との間においてアクセス可否判断が行われるように構成してもよい。
【０１１０】
また、上記実施形態では、ユーザがマウス２をドラッグした場合に表示されるＵＲＬが示すホームページと、マウス２の左ボタン２ａをクリックした場合に表示されるホームページとが同一である例を示したが、本発明はこれに限らず、ドラッグした場合に表示されるＵＲＬが示すホームページとクリックした場合に表示されるホームページとを異ならせるように構成してもよい。
【符号の説明】
【０１１１】
６  スクリーンセーバ画像
７、４０７  ブラウザ領域
７ｂ  識別情報入力画面（入力画面）
１１  表示部
１５  制御部
１８  ネットワーク接続部（接続部）
１００、４００  ノートパソコン（情報表示装置）
２００  スクリーンセーバ提供元
３００  ネットワーク（インタネット）
５００  情報表示システム
【図１】
2010186281.tif 000003
【図２】
2010186281.tif 000004
【図３】
2010186281.tif 000005
【図４】
2010186281.tif 000006
【図５】
2010186281.tif 000007
【図６】
2010186281.tif 000008
【図７】
2010186281.tif 000009
【図８】
2010186281.tif 000010
【図９】
2010186281.tif 000011
【図１０】
2010186281.tif 000012
【図１１】
2010186281.tif 000013
【図１２】
2010186281.tif 000014
【図１３】
2010186281.tif 000015
【図１４】
2010186281.tif 000016
【図１５】
2010186281.tif 000017
【図１６】
2010186281.tif 000018
【図１７】
2010186281.tif 000019